(57)【要約】【課題】天板上面位置を調節する継足が紛失する。【解決手段】脚体の下端に、天板上面位置を２段階に調節する継足を着脱自在に取り付け、又筒本体８内部に設けた鍔部11に対向一対の嵌合部14、14a …を設けると共に、中敷９に複数の挿通孔15、15a …を設け、中敷９を鍔部11に水平載置するか、鍔部11の嵌合部14、14a …に中敷９の周縁部を遊嵌立設することによって、継足の不使用時には、継足を保管せずに他用途のペン立て20やびリモコンホルダーとして日常利用する。【選択図】図６
2007319483.tif 000002
【特許請求の範囲】
【請求項１】
上面板と脚体から成る卓の脚体の下端に継足を着脱自在に取り付ける卓の脚体に取り付ける継足であって、
継足は筒本体、中敷および外蓋を備えると共に、外蓋の上面に筒本体の内面に嵌入する嵌合立設壁を設けて外蓋を筒本体の下端に着脱自在と成し、
筒本体の中途部内側に鍔部を突設して、筒本体内部を深さが相違する上下の嵌入部に区割し、更に、鍔部に対向一対の嵌合部を設けると共に、中敷に複数の挿通孔を設け、
中敷は鍔部に水平載置するか、鍔部の嵌合部に中敷の周縁部を遊嵌立設し、筒本体の内部に中敷を着脱自在に設けた
ことを特徴とする卓の脚体に取り付ける継足。
【請求項２】
嵌合部は、鍔部に内縁から外方に対向一対の嵌合溝を設けたものと成した
ことを特徴とする請求項１記載の卓の脚体に取り付ける継足。
【請求項３】
平面視で筒本体、中敷および外蓋を略４角形状と成し、筒本体の鍔部の角部に対角一対の嵌合溝を設けた
ことを特徴とする請求項２記載の卓の脚体に取り付ける継足。
【請求項４】
平面視で筒本体、中敷および外蓋を略４角形状と成し、鍔部の内側縁の２辺を嵌合部と成した
ことを特徴とする請求項１記載の卓の脚体に取り付ける継足。
【請求項５】
請求項２又は３記載の卓の脚体に取り付ける継足において、外蓋の上面に鍔部における対向一対の嵌合溝の対応位置および該対応位置の間に周囲より低い着座部を設けたか、
請求項４記載の卓の脚体に取り付ける継足において、外蓋の上面に対角線上で周囲より低い着座部を設けた
ことを特徴とする卓の脚体に取り付ける継足。
【発明の詳細な説明】
【技術分野】
【０００１】
本発明は、主に、コタツ及び座卓あるいは麻雀卓（以下、卓と称する）として使用される卓の脚体に関し、詳しくは、使用状態に考慮した卓の脚体に取り付ける継足に関する。
【背景技術】
【０００２】
従来、季節（夏期、冬期）による蒲団の有無に拘わらず、天板上面位置を一定高さとする様にした卓の脚体が知られていた。
具体的には、天板上面位置の調節に関し、脚体下部に長さが相違する一対の嵌入部を有した接地体（本件発明の継足に相当）を着脱可能に有し、該接地体を天地逆取付で脚体の長さを変化させるものであった（例えば、特許文献１参照）。
【０００３】
しかしながら、世帯構成によっては天板上面位置が相違し、例えば、大人、中人だけの世帯では天板上面を高くして卓を使用し、老人、小人、子供、幼児を含む世帯では天板上面を低くして使用していた。
天板上面を低く標準とする場合、付属品の接地体は使用されないが、該接地体は脚体取付以外の用途がなく、場合によっては、数年間の保管が必要であったが、保管場所の忘却や紛失の恐れがあった。
【０００４】
【特許文献１】特開２００２−１３９２２３
【発明の開示】
【発明が解決しようとする課題】
【０００５】
本発明は、継足（背景技術の接地体に相当）を使用して天板上面位置を２段階に調節可能とすると共に、３段階への調節である継足の不使用時に、継足を保管せず、継足を日常利用して紛失を防止する様にした卓の脚体に取り付ける継足を提供するものである。
【課題を解決するための手段】
【０００６】
本発明は、上記従来技術に基づく、高さ調節する継足を不使用時に紛失する課題に鑑み、上面板と脚体から成る卓の脚体の下端に継足を着脱自在に取り付け、継足は筒本体、中敷および外蓋を備えると共に、外蓋は筒本体の下端に着脱自在と成し、筒本体の中途部内側に鍔部を突設して、筒本体内部を深さが相違する上下の嵌入部に区割することによって、継足の使用選択および筒本体の天地選択で天板上面位置を３段階に調節する。
又、鍔部に対向一対の嵌合部を設けると共に、中敷に複数の挿通孔を設け、中敷は鍔部に水平載置するか、鍔部の嵌合部に中敷の周縁部を遊嵌立設し、筒本体の内部に中敷を着脱自在に設けることによって、継足の不使用時には、継足を保管せずに他用途のペン立てやリモコンホルダー等の小物入れとして日常利用する様にして、上記課題を解決する。
【発明の効果】
【０００７】
要するに本発明は、上面板と脚体から成る卓の脚体の下端に継足を着脱自在に取り付けたので、継足の不使用で標準高さで卓を使用したり、継足の使用で高く設定することが出来、家族構成や季節に応じた天板高さに調節することが出来る。
又、継足は筒本体、中敷および外蓋を備えると共に、外蓋の上面に筒本体の内面に嵌入する嵌合立設壁を設けて外蓋は筒本体の下端に着脱自在と成したので、筒本体下端と外蓋の遊嵌関係を向上することが出来たり、各種形態に容易に組み立てることが出来、又筒本体の中途部内側に鍔部を突設して、筒本体内部を深さが相違する上下の嵌入部に区割したので、筒本体の天地逆取付で高さを２段階に調節することが出来る。
【０００８】
又、鍔部に対向一対の嵌合部を設けると共に、中敷に複数の挿通孔を設けたので、継足の卓の脚体への不使用時に、継足を日常生活で常時使用するペン立ておよびリモコンホルダーなどの他用途に利用することが出来、よって、卓への不使用時にも継足を保管せず存在感を発現して紛失を防止することが出来る。
又、中敷は鍔部に水平載置するか、鍔部の嵌合部に中敷の周縁部を遊嵌立設し、筒本体の内部に中敷を着脱自在に設けたので、中敷の組付け状態を選択して容易に安定的に組み付けることが出来る。
【０００９】
嵌合部は、鍔部に内縁から外方に対向一対の嵌合溝を設けたものと成したので、中敷の遊嵌立設に際して、鍔部の嵌合溝を目標として中敷を降下させるだけで、容易に遊嵌立設することが出来る。
又、平面視で筒本体、中敷および外蓋を略４角形状と成し、筒本体の鍔部の角部に対角一対の嵌合溝を設けたので、嵌合溝の形成が鍔部の部分切欠に相当するが、部分切欠は鍔部の内縁側に限定されると共に、外縁が筒本体の内面と一体で鍔部の強度（荷重応力）を維持することが出来る。
【００１０】
平面視で筒本体、中敷および外蓋を略４角形状と成し、鍔部の内側縁の２辺を嵌合部と成したので、鍔部の角部は直角やＲ状あるいは面取り形状で、鍔部の強度を維持したり、損傷を十分に防止することが出来ると共に、対角線の狭小部に中敷を差し込むだけで、容易に遊嵌立設することが出来る。
【００１１】
外蓋の上面に鍔部における対向一対の嵌合溝の対応位置および該対応位置の間に、または対角線上に周囲より低い着座部を設けたので、中敷を外蓋上に立設載置した時に、中敷の上方部は嵌合部（嵌合溝、狭小部）で、下方部は着座部が協働して、中敷の立設形態を鉛直方向に安定化することが出来る等その実用的効果甚だ大である。
【００１２】
以下、実施形態に特有の効果を説明する。
嵌合立設壁の内部で外蓋の上面に複数の受承凹部を設けることにより、例えば、ペン立てとして使用する時に、ペンの下端が受承凹部内に嵌入して、ペンの立設状態を維持、安定化することが出来る。
【００１３】
又、外蓋の上面に設けた受承凹部は、外蓋の上面に突設した線状の突起で区割した低部と成すことにより、受承凹部を整然と形成することが出来ると共に、リブとして外蓋の強度を向上することが出来る。
【発明を実施するための最良の形態】
【００１４】
以下、本発明の一実施形態を図面に基づいて説明する。
図１は継足の使用時（２種類）と不使用時（標準時）の卓の高さを示す図であり、図２は脚体と継足の組立時における部分断面図であり、図３〜図５は継足を構成する各部材を示す図であり、図６、７は継足を小物入れとして使用する場合を示す図である。
【００１５】
図１（ａ）に示す様に、卓１は、４本の脚体２、2a…および該脚体２、2a…で支持され加熱部（図示せず）を取付ける上面板３から成る櫓４の上に、蒲団５をかけ、更に天板６を載置して使用されていた。
又、図１（ｂ）（ｃ）に示す様に、夏期等に暖房を不要とする時には、蒲団５を使用せず、櫓４の上面板３の上に天板６を直接載置していた。
詳細は後述するが、図１（ａ）（ｂ）に示す様に、脚体２、2a…の下端に着脱自在の継足７、7a…を天地選択して取り付けることにより、天板６を高く載置したり、図１（ｃ）に示す様に、継足７、7a…を不使用で天板６を低く載置し（標準高さとし）、更に、図１（ａ）（ｂ）の比較で判明する様に、継足７、7a…を脚体２、2a…に任意で天地逆に取り付けて、蒲団５の有無に拘らず天板６を同一高さに載置する。
【００１６】
図２に示す様に、合成樹脂製の継足７、7a…は、全体的に上面開口で縦長箱状で、筒本体８、中敷９および外蓋10を備え、中敷９は筒本体８の中途部内側に突設した鍔部11に着座自在と成すと共に、外蓋10は筒本体８の上下端のいずれか（天地逆配置する筒本体８の組み立て時の下端）に着脱自在と成している。
【００１７】
図３に示す様に、筒本体８は全体的に縦長４角筒状で、筒本体８の上下方向中途部で内側に適宜幅で厚さＴ１のリング状の鍔部11を突設して成り、該鍔部11の四角形４辺の内側縁11a 、11b …の内方を略四角状の空間部と成している。
又、鍔部11の上下高さは中間位置よりズラした高さと成し、筒本体８の内部12を深さＸ、Ｙが相違する上下の嵌入部13、13a に区割している。
【００１８】
又、鍔部11の内縁側には、継足７、7a…を小物入れとして使用する場合の各種形状の対向一対の嵌合部14、14a …を設けており、図３に示すものでは、嵌合部14、14a …として、４辺の内側縁11a 、11b …の直角交差部（角部）に、内縁から外方（筒本体８の立設内面方向）に所定幅Ｔ２、所定深さＷ１の対角位置で対向一対（対角一対）の嵌合溝（２方向で合計４ヵ所）を設けている。
嵌合部14、14a …である嵌合溝の幅Ｔ２は中敷９の厚さＴ３（図４（ｂ）参照）より若干広くすると共に、嵌合溝の深さＷ１に関しては、対角位置で一対の嵌合溝の対角長さＷ２が中敷９の１辺の長さＬ（図４（ｂ）参照）より若干長くなる様に、嵌合溝の深さＷ１を設定している。
【００１９】
図４に示す様に、所定厚さＴ３、１辺の長さＬの板状の中敷９は筒本体８の内径形状より若干小さめの形状（４角形）と成すと共に、中敷９に複数の挿通孔15、15a …を上下方向に設けている。
【００２０】
図５に示す様に、所定厚さＨ１の外蓋10は筒本体８の外径形状と同一の形状（４角形）と成すと共に、筒本体８の内径形状より若干小さめの形状（４角形）で外蓋10の上面に、平面視がリング状で高さＨ２の嵌合立設壁16を突設している。
又、嵌合立設壁16の内部で外蓋10の上面に、高さＨ２の嵌合立設壁16より低い高さＨ３の多数の突起17、17a …を突設して周囲より低い複数の受承凹部18、18a …を形成しており、図示のものでは、突起17、17a …を交差線状のものと成して碁盤目状に外蓋10の上面を仕切って、突起17、17a …で囲繞された低部を受承凹部18、18a …と成している。
更に、外蓋10の上面で、角部の対角線上（筒本体８の鍔部11に設けた嵌合溝（嵌合部14、14a …）の対応位置（直下位置）および両者の間（対向一対の対応位置を結ぶ線上）に、周囲より低く（Ｈ３−Ｈ１）、所定幅Ｔ４（中敷９の厚さＴ３（図４（ｂ）参照）より若干広幅）の平坦な着座部19、19a を形成する様に、線状の突起17、17a …の一部を切り欠いている。
【００２１】
次に本発明に係る卓の脚体に取り付ける継足の作用について説明する。
櫓４の脚体２、2a…に取り付ける継足７、7a…の使用形態としては、脚体２、2a…の下端に継足７、7a…を取り付けて卓１を高く設定する使用形態（図１（ａ）（ｂ））と、継足７、7a…を脚体２、2a…に取り付けず標準高さ（図１（ｃ））として、他用途に利用する使用形態（図６、７）の２形態がある。
【００２２】
先ず、継足７、7a…を卓１に使用する形態を説明する。
図１（ａ）（ｂ）に示す様に、継足７、7a…を脚体２、2a…の下端に取り付けて天板６を高く設定する使用形態も、２種類の高さ設定形態がある。
基本となる使用形態としては、櫓４の上に載置する天板６を含めた卓１の所望高さに応じて、図２に示す様に、筒本体８の天地を選択し、筒本体８の下端内部に外蓋10の遊嵌立設壁16を嵌入させて、筒本体８の下端に外蓋10を取り付けると共に、筒本体８内部の鍔部11に中敷９を水平載置して、所望形態の継足７、7a…を組み立てる。
そして、上方開口の嵌入部13、13a に脚体２、2a…の下端を嵌入させ、その下端面を中敷９の上面に載置、着座させる。
【００２３】
次に、所望高さの選択について説明する。
図２に示す様に、脚体２、2a…の下端面が床面ＦＬより上昇する高さＨＨ１、ＨＨ２は、外蓋10の厚さＨ１（嵌合立設壁16等を除く）、下方の嵌入部13、13a の深さＸ、Ｙ、鍔部11の厚さＴ１、中敷９の厚さＴ３の合計である。
一方、上下２部の嵌入部13、13a の深さＸ、Ｙは相違した２種類と成していることにより、床面ＦＬ側に位置する下方の嵌入部13、13a の深さＸ、Ｙに応じて、脚体２、2a…の下端の高さＨＨ１、ＨＨ２が決定し、天板６の所望高さに応じて、筒本体８の天地を選択して、継足７、7a…を組み立て、天板６の所望高さに設定する（図１（ａ）（ｂ）参照）。
図１（ａ）、図２（ａ）に示す場合、上昇高さＨＨ１＝Ｈ１＋Ｙ＋Ｔ１＋Ｔ３であり、  図１（ｂ）、図２（ｂ）に示す場合、上昇高さＨＨ２＝Ｈ１＋Ｘ＋Ｔ１＋Ｔ３であり、継足７、7a…の天地逆時の高さ相違はＨＨ２−ＨＨ１＝Ｘ−Ｙであり、この相違高さは、蒲団５の厚さに相当する。
【００２４】
次に、継足７、7a…を卓１以外の他用途に使用する形態を説明する。
図１（ｃ）に示す様に、天板６の高さを標準の低い高さとする時には、継足７、7a…を卓１に使用せず、図６、７に示す様に、他用途に使用する。
他用途の使用形態の一例としては、保管されずに机上、卓上などに載置されて日常生活に使用されるペン立て20やリモコンホルダー21その他の小物入れが挙げられ、図６は継足７、7a…をペン立て20として使用した例を示す図であり、図７は継足７、7a…をリモコンホルダー21として使用した例を示す図である。
【００２５】
図６に示す様に、継足７、7a…をペン立て20として使用する時の組み立て形態は、卓１に取り付けて高さ調節する継足７、7a…の組み立て形態と同一である。
即ち、筒本体８の下端に外蓋10を取り付けると共に、鍔部11の上に中敷９を水平に載置した形態であり、筒本体８の内部12が中敷９で上下区割された嵌入部13、13a は、中敷９に設けた挿通孔15、15a …で上下連通状態となると共に、挿通孔15、15a …の下方で外蓋10の上面における突起17、17a …で形成された受承凹部18、18a …が位置する。
よって、中敷９の挿通孔15、15a …の開口に対し、挿通孔15、15a …の上下方向（外蓋10より上方で筒本体８上端の上方空間を含む）に収容空間22、22a …が形成される。
鉛筆、各種ペン等の棒状体の収容物品23、23a …を中敷９の挿通孔15、15a …（収容空間22、22a …）に挿通すると、収容物品23、23a …の下端は外蓋10の受承凹部18、18a …に入って、略鉛直状に立設する。
【００２６】
図７に示す様に、継足７、7a…をリモコンホルダー21として使用する時の組み立て形態は、ペン立て20としての使用形態例に比して、筒本体８内に配置する中敷９を水平から鉛直（立設）に変化させると共に、筒本体８の内部12を上下区割せず水平区割している。
即ち、筒本体８の下端に外蓋10を取り付けると共に、鍔部11の嵌合溝（嵌合部14、14a …）の内側縁に中敷９の周縁部（対向２辺）を近接した状態で遊嵌立設し、筒本体８の内部12を筋交い状に区割した形態であり、中敷９の周縁部である下辺１辺は外蓋10の平坦な着座部19、19a に載置される。
立設した中敷９で筒本体８の内部12を水平区割した収容空間24、24a は平面視で略三角形となると共に、外蓋10の上方で筒本体８上端の上方空間を含み筒本体８の内部12の上下方向全空間となる。
各種リモコン等の略長尺状の収容物品25、25a を、中敷９で区割した収容空間24、24a に挿通すると、収容物品25、25a の下端は外蓋10の突起17、17a …上に載置され、略鉛直状に立設する。
【００２７】
尚、筒本体８、中敷９および外蓋10は平面視で角部にＲ部を設けた略正方形状と成したが、略長方形状や、長方形の長辺を膨出円弧状とした略鼓状や、略円形状などとしても良い。
又、対向一対の嵌合溝（嵌合部14、14a …）は対向角部に設けた例（対角一対の例）を示したが、対向一対であれば嵌合溝は対向角部以外の４辺の内側縁11a 、11b …中、対向２辺に設けても良く、その場合、嵌合溝の内縁から外方への深さＷ１は深くなると共に、着座部19、19a の形成位置も対角線上から嵌合溝（嵌合部14、14a …）に合わせ、又平面視形状が略正方形状以外のものでも同様で、嵌合溝は角部、対向２辺（円弧部を含む）に設けても良い。
【００２８】
次に、図８〜１１に示す第２実施形態について説明する。
図８〜１１に示す第２実施形態は図７までに示す第１実施形態に比して中敷９の立設方式が変更されているので、第１実施形態との相違点だけを説明し、同一構成の共通点の説明は省略する。
図８、９に示す様に、第１実施形態に比して第２実施形態のものでは、筒本体８に設けた鍔部11の内方突出幅は若干小幅と成すと共に、嵌合部14、14a …となる嵌合溝を設けず、鍔部11の４辺の内側縁11a 、11b …を略四角形状と成すと共に、角部近傍で隣接する２辺の４５度傾斜対向狭小部を嵌合部14、14a …と成している。
【００２９】
筒本体８の鍔部11の内縁側に設けた狭小部の嵌合部14、14a …を詳しく説明すると、
内角９０度で隣接する２辺（４辺の内側縁11a 、11b …の２辺）の角部近傍で、２辺を結ぶ４５度傾斜線相当箇所を嵌合部14、14a …と成し、当該位置における９０度で対向する２辺間が中敷９を小幅間隔で挟む狭小部である。
狭小部の設定位置である角部からの近傍位置（離隔距離）は、４５度傾斜線の巾Ｔ５が中敷９の厚さＴ３より若干大きくなる位置である。
又、鍔部11の内方突出幅および嵌合部14、14a …となる狭小部の設定位置に関して、対向一対の嵌合部14、14a …の対角長さＷ２は、中敷９の１辺の長さＬより若干長くしている。
従って、対角長さＷ２を越えた両端部の形状はＲ状、面取り等の任意形状とすることが出来る。
【００３０】
即ち、鍔部11の角部の形状は、図８（ａ）に示す様に直角としたり、図９（ａ）に示す様に狭小部に相当する４５度傾斜の直線状で内角部を面取り（Ｃ面）としたり、図９（ｂ）に示す様にＲ状としている。
又、嵌合立設壁16の内部で外蓋10の上面に設けた突起17、17a …は、第１実施形態のものより高くしているが、低くしても良い。
【００３１】
次に、第２実施形態のものの作用について説明する。
卓１の高さ調節作用と中敷９を鍔部11に水平載置してペン立て20（図１０参照）として利用する作用は第１実施形態のものと同様である。
図１１に示す様に、リモコンホルダー21として利用する場合、鍔部11の狭小部（嵌合部14、14a …）に中敷９の周縁部（対向２辺）を配置して、鍔部11の内側縁11a 、11b …の２辺に近接させた状態で遊嵌立設し、中敷９の１辺は外蓋10の対角線上の着座部19、19a 上に載置され、中敷９の下方部は外蓋10上の突起17、17a …に近接するか当接させ、第１実施形態のものと同様にリモコンホルダー21として利用する。
【００３２】
尚、第１、２実施形態における細部の構成要件の一部は適宜変更可能である。
外蓋10に設けた嵌合立設壁16に関しては、筒本体８の下端に外蓋10が着脱自在であれば、その構成は問わず、更に、嵌合立設壁16内部に設けた突起17、17a …、受承凹部18、18a …、着座部19、19a は必ずしも設けなくても良く、或いは、これらの具体的な構成は適宜変更可能である。
又、中敷９を立設して小物入れとして使用する時に、鍔部11に設けた嵌合部14、14a …と中敷９の係合状態は、両者間に多少の隙間を有した遊嵌状態と成したが、中敷９が略垂直立設してガタが少なく着脱可能であれば、隙間の間隔は適宜設定可能である。
或いは、略垂直で着脱可能であれば、隙間を無くして当接した嵌合状態であっても良く、本件発明での遊嵌は嵌合を含むものである。
【図面の簡単な説明】
【００３３】
【図１】季節、家族構成などに応じた高さ調節例を示す図である。
【図２】継足の組立形態および脚体への継足の組立形態を示す要部断面図である。
【図３】筒本体の平面図および側面図である。
【図４】中敷の平面図、側面図およびＡ−Ａ断面図である。
【図５】外蓋の平面図、側面図およびＢ−Ｂ断面図である。
【図６】継足を他用途の小物入れ（ペン立て）として使用する際の平面図およびＣ−Ｃ断面図である。
【図７】継足を他用途の小物入れ（リモコンホルダー）として使用する際の平面図およびＤ−Ｄ断面図である。
【図８】第２実施形態の筒本体の平面図および側面図である。
【図９】第２実施形態の筒本体の鍔部のその他の形状を示す平面図である。
【図１０】第２実施形態の継足を他用途の小物入れ（ペン立て）として使用する際の平面図およびＥ−Ｅ断面図である。
【図１１】継足を他用途の小物入れ（リモコンホルダー）として使用する際の平面図およびＦ−Ｆ断面図である。
【符号の説明】
【００３４】
２、2a…    脚体
３          上面板
４          櫓
７、7a…    継足
８          筒本体
９          中敷
10          外蓋
11          鍔部
12          内部
13、13a     嵌入部
14、14a …  嵌合部
15、15a …  挿通孔
16          嵌合立設壁
17、17a …  突起
18、18a …  受承凹部
19、19a     着座部
Ｘ          深さ
Ｙ          深さ
【図１】
2007319483.tif 000003
【図２】
2007319483.tif 000004
【図３】
2007319483.tif 000005
【図４】
2007319483.tif 000006
【図５】
2007319483.tif 000007
【図６】
2007319483.tif 000008
【図７】
2007319483.tif 000009
【図８】
2007319483.tif 000010
【図９】
2007319483.tif 000011
【図１０】
2007319483.tif 000012
【図１１】
2007319483.tif 000013